(57)【要約】【課題】            折畳み機構等が外部に露出せず、違和感のないテーブル、椅子等の台を提供する。【解決手段】        この発明の高さ調節式折畳み第は、天板１の下面に左右に相対応させた脚３を設け、該脚３を内側に向かって折り曲げ回動させて折畳み可能に構成した台の改良に関するものである。台は左右の各脚３の内側に上方のスライド姿勢時に脚３の折畳みを許容し、脚３を開脚させた状態で脚３に沿って下降スライドし且つ下降状態で脚３の開脚姿勢を保持するスライド部材７を設けてなる。左右の脚３の内側とスライド部材７の両端部との間に、開脚姿勢においてスライド部材７の昇降を案内するガイド部６を設けている。【選択図】          図１
2005021617.tif 000002
【特許請求の範囲】
【請求項１】
天板（１）の下面に左右に相対応させた脚（３）を設け、該脚（３）を内側に向かって折り曲げ回動させて折畳み可能に構成した台において、左右の各脚（３）の内側に上方のスライド姿勢時に脚（３）の折畳みを許容し、脚（３）を開脚させた状態で脚（３）に沿って下降スライドし且つ下降状態で脚（３）の開脚姿勢を保持するスライド部材（７）を設けてなる高さ調節式折畳み台。
【請求項２】
左右の脚（３）の内側とスライド部材（７）の両端部との間に、開脚姿勢においてスライド部材（７）の昇降を案内するガイド部（６）を設けてなる請求項１の高さ調節式折畳み台。
【請求項３】
折畳み回動可能な脚（３）の所定高さ位置に、スライド部材（７）の下降下限位置を規定するストッパー部（６ａ）を設けてなる請求項１又は２の高さ調節式折畳み台。
【請求項４】
スライド部材（７）が上昇スライド停止位置で天板（１）の下部に設けた枠体（２）内に収納されるように、ガイド部（６）を該枠体（２）内に設けてなる請求項１，２又は３の高さ調節式折畳み台。
【請求項５】
枠体（２）内を中空とし、該枠体（２）の上面側内部にテーブルの上面を構成する透明又は半透明材よりなる板材（５）を支持せしめてなる請求項４の高さ調節式折畳み台。
【請求項６】
左右の各脚（３）が１枚の板材よりなる請求項１，２，３，４又は５の高さ調節式折畳み台。
【請求項７】
脚（３）が相対応する２対の柱状の脚からなり、スライド部材（７）が各脚（３）の内面側にスライド可能に支持される単体の板状又は枠状のスライド部材である請求項１，２，３，４又は５の高さ調節式折畳み台。
【発明の詳細な説明】
【技術分野】
【０００１】
この発明は例えば大小のテーブル，机，椅子等に応用可能な台であって、脚を折畳むことにより高さ調節が可能な高さ調節式折畳み台に関する。
【背景技術】
【０００２】
従来、テーブルや椅子等の台の脚に付設した補助脚を折畳むことにより高さ調節するもの（特許文献１）、折畳み角度を変更して高さ調節するもの（同２）、脚を伸縮スライドさせてピン止め等により多段に高さ調節するもの（同３）等の技術が公知である。
【特許文献１】特開昭６１−９２６１１号
【特許文献２】特開昭６２−２０３６２５号
【特許文献３】実用新案登録第３００５６８０号
【発明の開示】
【発明が解決しようとする課題】
【０００３】
しかし上記の公知技術は、高さ調節の機能性は共通するものの、いずれも脚の折畳みや伸縮による高さ調節のため特別の機構が外部に露出しており、和室で行われる茶道や華道又は写経等に使用するテーブルや椅子等の台には適さないという欠点があり、特に全体を木製にする場合は、構造上特に特に不適当である。
この発明はこれらの欠点を解消し、特に開脚、閉脚によるいずれの高さでの使用時も外観上違和感のない台とし、和室での使用にも適し且つ木製の台を製造するにも適した折畳み台を提供することを目的としている。
【課題を解決するための手段】
【０００４】
上記課題を解決するための本発明のテーブルは、第１に天板１の下面に左右に相対応させた脚３を設け、該脚３を内側に向かって折り曲げ回動させて折畳み可能に構成した台において、左右の各脚３の内側に上方のスライド姿勢時に脚３の折畳みを許容し、脚３を開脚させた状態で脚３に沿って下降スライドし且つ下降状態で脚３の開脚姿勢を保持するスライド部材７を設けてなることを特徴としている。
【０００５】
第２に、左右の脚３の内側とスライド部材７の両端部との間に、開脚姿勢においてスライド部材７の昇降を案内するガイド部６を設けてなることを特徴としている。
【０００６】
第３に、折畳み回動可能な脚３の所定高さ位置に、スライド部材７の下降下限位置を規定するストッパー部６ａを設けてなることを特徴としている。
【０００７】
第４に、スライド部材７が上昇スライド停止位置で天板１の下部に設けた枠体２内に収納されるように、ガイド部６を該枠体２内に設けてなることを特徴としている。
【０００８】
第５に、枠体２内を中空とし、該枠体２の上面側内部にテーブルの上面を構成する透明又は半透明材よりなる板材５を支持せしめてなることを特徴としている。
【０００９】
第６に、左右の各脚３が１枚の板材よりなることを特徴としている。
【００１０】
第７に、脚３が相対応する２対の柱状の脚からなり、スライド部材７が各脚３の内面側にスライド可能に支持される単体の板状又は枠状のスライド部材であることを特徴としている。
【発明の効果】
【００１１】
以上のように構成される本発明によれば、テーブル等の台類の折畳み式の高さ調節機構に、外観を妨げる特別な部品や機構を使用する必要がなく、和洋室を問わずシンプルで違和感のない木製台の製造が低コストで可能となる。
【００１２】
また脚の回動抵抗を少なくすることにより、台を持ち上げるだけでガイド部材が自重で落下し、開脚及び閉脚状態での脚のセットが可能となる等の利点がある。
【発明を実施するための最良の形態】
【００１３】
以下本発明を例えば木製の写経机（テーブル）に応用して実施した場合の形態につき、図面に基づいて説明する。
【００１４】
図１〜３はこの発明の第１実施例を示し、天板を構成する長方形の枠体である天枠１の下面には、所定高さの厚板を周壁とする枠体からなる上部枠２が設けられている。該上部枠２の左右の壁２ａ，２ａの下端延長上には、天板１の前後幅と同一幅で、同一厚みの板状の脚３の上端が前後壁２ｂ，２ｂとの間にピン４で内側方向にのみ略９０°の角度で折畳み回動可能に連結して取り付けられている。
【００１５】
天枠１は平面視で額縁状に中空をなし、その中空部を覆うようにガラス板，プラスチック板等からなる透明又は半透明の透光性材料からなる板材（トップガラス）５が嵌合するように載置されて支持されている。そして左右の脚３，左右壁２ａ及び天枠１の内面中央には、脚３の板厚と略同一幅のあり溝がガイド部６として形成されている。
【００１６】
該あり溝（６）には左右方向の板状のスライド部材７の左右両端のあり部が上下スライド可能に嵌合されており、あり溝（６）の下端は左右壁２の内面の途中位置にあり、スライド部材７の下降下限位置を規定するストッパー部６ａを構成している。
【００１７】
また上記スライド部材７を上限位置であるトップガラス５の下面側まで上昇させた姿勢では図１の実線のように脚３を内側に９０°折畳むことができる。逆に脚３を同図仮想線のように伸展させて開脚した状態では、スライド部材７が略その自重で下限位置まで下降スライドし、脚３の内側への回動を規制し且つ開脚姿勢を保持する。
【００１８】
この時ガイド部６は必ずしもあり接合である必要はなく、例えば単純な各溝でもよいが、脚３とスライド部材７のあり接合によって、脚３の外側への回動又は屈曲が規制される。このようにしてテーブルは脚３を伸展した開脚状態と折畳んだ開脚状態との２段階の高さ調節が可能であり、いずれの状態でも上部枠２内又はその下方に蛍光灯等の照明を点灯し、もしくはトップガラス５の内面に発光ダイオードを付設すること等の照明設備により、写経机として利用できる。
【００１９】
上記脚３は必ずしも板状部材である必要はなく、上部枠２の下方四隅に突設した４本の脚を互いに内向きに９０°折畳む構造にし、相対応する左右の脚間にスライド部材７を昇降スライド可能に前後にそれぞれ設ける（図示しない）ことにより、上記の例と同一の機能を果たさせることもできる。
【００２０】
図４〜６はこの発明の第２実施例を示し、この例に示すテーブルは第１実施例のもののガイド部（あり接合部）６にさらに別の補助ガイド部８等を付設し、且つスライド部材７のほかに棒状の補助部材７′を付加した点に特徴があり、それ以外の構成は第１実施例のものと略共通である。
【００２１】
即ち、厚板状の脚３の内面のガイド部（溝）６の両側には、スライド部材７の前後両側に摺接してその昇降スライドを案内する上下方向の補助ガイド部材８ａ，８ｂを付設するとともに、スライド部材７とガイド部材８ａ，８ｂの摺接面間には、いずれか一方に突設され他方に嵌合して摺接するレール状の突起８ｃが前後にそれぞれ設け、スライド部材７のスライドをよりスムースに行わせる構造になっている。
【００２２】
またスライド部材７の上部には、スライド部材７と同一の前後幅を有してスライド部材７と共にあり溝６内を昇降スライドする棒状の補助部材７′が、スライド部材７とは別に設けられている。そしてあり溝６の上端には、補助部材７′が上限位置または上昇した状態で横方向にスライドして格納できるような退避ポート６ｂが形成されている。
【００２３】
上記構成により、スライド部材７を単に上限位置まで上昇させただけでは、補助部材７′の高さだけ下端の左右端が脚３に当接しているために脚３の折畳みが規制されているが、補助部材７′を退避ポート６ｂにスライドさせて退避させると、スライド部材７は本来の上限位置まで上昇させることができ、その時点ではじめて脚３の折畳みが可能になる。このような作用により、予めあり溝６内に嵌合させておくことにより、スライド部材７が何かに当たって不意に上限位置に上昇することによる不測の脚の折畳み（テーブルの転倒）等のトラブルを避けることができる。
【００２４】
図７〜９はこの発明の第３実施例を示し、この例では天枠１にトップガラス５が嵌合載置されている点は上記実施例のものと共通するが、比較的薄板からなる上枠２内の四隅に丸棒状の固定脚３ａを取り付け、該固定脚３ａの下端にテーブルの対角方向に内向きに折り曲げ回動（折畳み）可能な可動脚３ｂを取り付けて脚３を構成している。
【００２５】
そして脚３の対角方向には所定高さの下限位置（ストッパー部６ａ）を備えた溝状のガイド部６が上下方向に形成されている。この例におけるスライド部材７は、上記４本の脚３の内面にコーナー部が位置するような平面視長方形の板材（棚板）からなり、そのコーナー部には各脚３の内面に形成されたガイド部（溝）６に昇降スライド可能に嵌合するガイド突起７ａが突設されている。
【００２６】
上記構成により、開脚状態でスライド部材（棚板）７を下限位置（ストッパー部）まで下降させると、可動脚３ｂは開脚状態で保持され、可動脚３ｂの上端位置以上に上昇スライドさせると、可動脚３ｂは図７のように折畳み格納可能となり、２段階にテーブル高さの調節が可能となる。
【００２７】
以上の実施例は写経机を例示して説明したが、各部の寸法や材質等を任意に変更することにより、一般の座卓やテーブル、机等に応用できるほか、天板や天枠に強度をもたせることにより、踏み台や椅子にも応用可能である。
【産業上の利用可能性】
【００２８】
この発明の高さ調節式折畳み台は、和洋式を問わず各種のテーブル、机等のほか、椅子や踏み台等の台類に広く利用できるものである。
【図面の簡単な説明】
【００２９】
【図１】折畳み状態のテーブルの正面図である。（実施例１）
【図２】テーブルの平面図である。（実施例１）
【図３】開脚状態のテーブルの側断面図である。（実施例１）
【図４】テーブルの平面図である。（実施例２）
【図５】（Ａ），（Ｂ）は閉脚（折畳み）状態及び開脚（伸展）状態のテーブルの側面図である。（実施例２）
【図６】（Ａ），（Ｂ）はテーブルのガイド部の構造を示す拡大平面図及び拡大内側側面図である。（実施例２）
【図７】テーブルの閉脚状態の平面図である。（実施例３）
【図８】テーブルの開脚状態の平面図である。（実施例３）
【図９】テーブルの脚上部の拡大水平断面図である。（実施例３）
【符号の説明】
【００３０】
１  天枠（天板）
２  枠体
２ａ  左右壁（周壁）
２ｂ  前後壁（周壁）
３  脚
３ａ  固定脚
３ｂ  可動脚
５  板材（トップガラス）
６  ガイド部（あり溝，溝）
６ａ  ストッパー部（下限位置）
７  スライド部材
【図１】
2005021617.tif 000003
【図２】
2005021617.tif 000004
【図３】
2005021617.tif 000005
【図４】
2005021617.tif 000006
【図５】
2005021617.tif 000007
【図６】
2005021617.tif 000008
【図７】
2005021617.tif 000009
【図８】
2005021617.tif 000010
【図９】
2005021617.tif 000011